(57)【要約】      （修正有）【課題】製造が容易であるとともに、蚊の成虫による産卵を促すことができ、羽化した蚊の成虫が捕獲空間の外部へ逃げ出すことを防止できるボウフラストッパーを提供する。【解決手段】ボウフラストッパー１は、容器２と捕獲蓋３とを備え、蚊の卵及び卵からふ化したボウフラを捕獲するために用いられる。捕獲蓋３は、取付部４１及び蓋壁部４２を有する蓋本体４と、網部５とを備える。網部５は、蓋壁部４２の下端開口部４２０に設けられており、格子状に並ぶ多数の網目孔を有している。また、網部５は、容器２内の水Ｗの中に沈められた状態で使用される。蓋壁部４２の内側面４２１には、微小な凹凸４２２が形成されている。【選択図】図３
0003209881.tif 000002
【実用新案登録請求の範囲】
【請求項１】
蚊の卵及び前記卵からふ化したボウフラを捕獲するためのボウフラストッパーであって、
有底筒形状に形成され、水を貯留するための容器と、
前記容器に取り付けられ、前記容器との間に、前記卵及び前記ボウフラを閉じ込める捕獲空間を形成する捕獲蓋と、を備え、
前記捕獲蓋は、
環形状の樹脂によって構成されて前記容器の上端開口部に取り付けられた取付部、及び下方に向かうに連れて外形が絞られるとともに前記取付部と一体成形された筒形状の樹脂によって構成され、前記容器内に配置された蓋壁部を有する蓋本体と、
前記蓋壁部の下端開口部に設けられ、多数の網目孔を有し、前記容器内の水の中に沈められた状態で使用される網部と、を備え、
前記蓋壁部の内側面には、微小な凹凸が形成されている、ボウフラストッパー。
【請求項２】
前記微小な凹凸の高低差は、０．１〜２ｍｍの範囲内にある、請求項１に記載のボウフラストッパー。
【請求項３】
前記容器の底部における上面は、前記底部の中心から外側に向けて下降傾斜して形成されている、請求項１又は２に記載のボウフラストッパー。
【考案の詳細な説明】
【技術分野】
【０００１】
本考案は、蚊の卵及びボウフラを捕獲するためのボウフラストッパーに関する。
【背景技術】
【０００２】
蚊を捕獲するための容器には、成虫としての蚊を捕獲するための捕獲器と、蚊が産卵した卵、及び卵からふ化した、蚊の幼虫としてのボウフラを捕獲するための捕獲器とがある。前者の捕獲器の場合には、薬剤を使用するなど、仕掛けが大掛かりになることが多い。そのため、後者の捕獲器が多く用いられるようになった。
【０００３】
例えば、特許文献１に記載された捕虫器は、蚊の卵及びボウフラを捕獲し、卵から成長した蚊を逃がさないものである。捕虫器の容器内には、水が貯留され、水面に浮揚する、ネット及び浮きからなるフィルタ部が配置される。そして、容器内の水に集まる蚊がフィルタ部に産卵したときには、産卵された卵又は卵からふ化した幼虫であるボウフラが、フィルタ部のネットに設けられた孔を通って水中に入る。その後、ボウフラ、及びさなぎであるオニボウフラの状態を経て成長した蚊は、水中で溺れてフィルタ部から容器の外部へ出られなくなる。
【０００４】
また、例えば、特許文献２に記載された蚊の産卵器は、黒色容器内に配置された、網目材としての２０メッシュの深ザル及び２０メッシュの内筒を用いる。そして、深ザルの内部に産み落とされた卵からふ化したボウフラは、黒色容器内の水中に留まり、深ザル及び内筒の外部へ逃げ出すことができなくなる。
【先行技術文献】
【特許文献】
【０００５】
【特許文献１】特開２００８−３０７０３７号公報
【特許文献２】特開２００７−２３６３５９号公報
【考案の概要】
【考案が解決しようとする課題】
【０００６】
特許文献１の捕虫器におけるフィルタ部は、ネットに浮きを付けて、ネットが水面に浮くようにしている。しかし、本考案者の研究により、ネットを水面に配置することが、必ずしも蚊による産卵を促すことに繋がっていないことが分かった。本考案者の研究によれば、ネットが水面下に沈んでいる場合でも、オニボウフラから羽化した蚊の成虫が逃げ出すことはないことが分かった。
【０００７】
特許文献１においては、容器の開口部から蚊が逃げ出すことを防止するために、容器の開口部とフィルタ部との間は、通過阻止部によって閉じられている。通過阻止部は、水面に浮かぶフィルタ部を上下させるための可撓性を有する素材によって形成されている。そのため、フィルタ部及び通過阻止部の製造が容易ではない。
【０００８】
特許文献２の産卵器における深ザル及び内筒は、所定の形状に成形するために手間が掛かる。また、特許文献２においては、深ザル及び内筒の全体がメッシュ（網目材）によって形成されており、蚊の成虫が産卵するために止まりやすくする工夫はされていない。
【０００９】
本考案は、かかる課題に鑑みてなされたもので、製造が容易であるとともに、蚊の成虫による産卵を促すことができ、羽化した蚊の成虫が捕獲空間の外部へ逃げ出すことを防止することができるボウフラストッパーを提供しようとして得られたものである。
【課題を解決するための手段】
【００１０】
本考案の一態様は、蚊の卵及び前記卵からふ化したボウフラを捕獲するためのボウフラストッパーであって、
有底筒形状に形成され、水を貯留するための容器と、
前記容器に取り付けられ、前記容器との間に、前記卵及び前記ボウフラを閉じ込める捕獲空間を形成する捕獲蓋と、を備え、
前記捕獲蓋は、
環形状の樹脂によって構成されて前記容器の上端開口部に取り付けられた取付部、及び下方に向かうに連れて外形が絞られるとともに前記取付部と一体成形された筒形状の樹脂によって構成され、前記容器内に配置された蓋壁部を有する蓋本体と、
前記蓋壁部の下端開口部に設けられ、多数の網目孔を有し、前記容器内の水の中に沈められた状態で使用される網部と、を備え、
前記蓋壁部の内側面には、微小な凹凸が形成されている、ボウフラストッパーにある。
【考案の効果】
【００１１】
本考案の一態様のボウフラストッパーは、容器に取り付けられた捕獲蓋の構造に工夫をしたものである。
捕獲蓋は、取付部及び蓋壁部を有する蓋本体と、網部とを備え、取付部及び蓋壁部は、樹脂によって一体成形されている。そのため、蓋本体は、固形の樹脂として成形することができ、捕獲蓋の製造が容易である。
【００１２】
また、網部は、固形の樹脂から構成された蓋本体の蓋壁部の下端開口部に設けられており、蓋本体が容器に取り付けられた状態において、容器内の水の中に沈められて使用される。そして、網部は、容器内の水面に浮かばせる必要がない。そのため、蓋本体の蓋壁部には、網部を水面に浮かばせるための可撓性を与える必要がない。
【００１３】
また、網部は、蓋本体の蓋壁部の下端開口部にのみ設けられており、容器内の水面よりも上方には、蚊の成虫が産卵するために止まりやすい蓋壁部が配置される。そして、蓋壁部の内側面に微小な凹凸が形成されていることにより、蓋壁部の内側面に蚊の成虫がより止まりやすくして、蚊の成虫による産卵を促すことができる。
【００１４】
また、蓋壁部が、下方に向かうに連れて外形が絞られた筒形状の樹脂によって形成されていることにより、蓋壁部に産卵された卵は、下方に落下して水中に落ち、網部の網目孔を通って容器の底部における上面に降下する。そして、卵からふ化したボウフラは、容器内の水の中において、網目孔を通過して網部の上側へ抜け出すことはできない。また、ボウフラからオニボウフラを経て羽化した蚊の成虫も、網部の上側へ通過することはできない。そのため、蚊の成虫が、網目孔を通過して捕獲空間の外部へ逃げ出すことを防止することができる。
【００１５】
このように、前記ボウフラストッパーによれば、製造が容易であるとともに、蚊の成虫による産卵を促すことができ、羽化した蚊の成虫が捕獲空間の外部へ逃げ出すことを防止することができる。
【図面の簡単な説明】
【００１６】
【図１】実施形態にかかる、ボウフラストッパーを示す断面図。
【図２】実施形態にかかる、ボウフラストッパーを示す平面図。
【図３】実施形態にかかる、ボウフラストッパーの一部を拡大して示す断面図。
【図４】実施形態にかかる、他のボウフラストッパーを示す断面図。
【考案を実施するための形態】
【００１７】
前述したボウフラストッパーにかかる好ましい実施形態について、図面を参照して説明する。
本形態のボウフラストッパー１は、図１及び図２に示すように、蚊の卵及び卵からふ化したボウフラを捕獲するための捕獲器である。ボウフラには、さなぎとしてのオニボウフラも含まれる。ボウフラストッパー１は、有底筒形状に形成されて水Ｗを貯留するための容器２と、容器２に取り付けられ、容器２との間に卵及びボウフラを閉じ込める捕獲空間３０を形成する捕獲蓋３とを備える。
【００１８】
図１〜図３に示すように、捕獲蓋３は、取付部４１及び蓋壁部４２を有する蓋本体４と、網部５とを備える。取付部４１は、円環形状の樹脂によって構成されており、容器２の上端開口部２３に取り付けられている。蓋壁部４２は、下方に向かうに連れて外形が絞られるとともに取付部４１と一体成形された筒形状の樹脂によって構成されており、容器２内に配置されている。
【００１９】
網部５は、蓋壁部４２の下端開口部４２０に設けられており、格子状に並ぶ多数の網目孔５１を有している。また、網部５は、容器２内の水Ｗの中に沈められた状態で使用される。また、蓋壁部４２の内側面４２１には、微小な凹凸４２２が形成されている。なお、蓋壁部４２の下端開口部４２０とは、網部５が設けられる位置を示しており、蓋壁部４２は、網部５よりも下方に延設されていてもよい。
【００２０】
なお、本形態において示す下側とは、容器２を、意図する場所に配置する際の鉛直方向のことをいい、上側とは、容器２を、意図する場所に配置する際の鉛直方向の上側のことをいう。
【００２１】
以下に、本形態のボウフラストッパー１について詳説する。
ボウフラストッパー１は、屋外に配置して使用される。ボウフラストッパー１を屋外の意図する場所に配置するときには、容器２には捕獲蓋３を取り付け、容器２内には水Ｗを入れる。容器２内に入れる水Ｗは、水道水、雨水、川の水等とすることができる。特に、容器２内の水Ｗは、雨天時に溜まる雨水とすることにより、容器２内に水Ｗを追加する手間が省ける。
【００２２】
図１に示すように、容器２は、底部２１と、底部２１の外周から円筒状に起立して設けられた円筒部２２とによって構成されている。本形態の容器２は、樹脂の成形品として形成されている。容器２は、ポリプロピレン樹脂等の黒色の樹脂を用い、射出成形等を行って成形することができる。容器２が黒色を呈することにより、容器２へ蚊を誘引しやすくすることができる。また、黒色の樹脂を用いて容器２を成形することにより、容器２に黒色の塗装等を行う手間を省くことができる。
【００２３】
同図に示すように、本形態の容器２の底部２１における上面２１１は、底部２１の中心から外側に向けて下降傾斜して形成されている。これにより、蚊の成虫によって産卵されて、網部５の網目孔５１を通過して底部２１の上面２１１に降下した蚊の卵を、上面２１１の傾斜によって、上面２１１の外周側へ寄せることができる。そして、卵からふ化したボウフラが、呼吸をするために容器２の円筒部２２を上りやすくすることができる。そのため、容器２内の水Ｗの中に捕獲されたボウフラが、網部５に近づきにくくし、網部５の網目孔５１から捕獲空間３０の外部へ出にくくすることができる。
【００２４】
図１及び図３に示すように、本形態の容器２の底部２１及び円筒部２２は、略均一な厚みに形成されている。円筒部２２は、上方へ行くほど拡径する傾斜状の円筒形状に形成されている。円筒部２２の上端開口部２３には、蓋本体４の取付部４１を取り付けるために、円筒部２２の残部よりも厚みが大きな被取付部２４が形成されている。
【００２５】
捕獲蓋３の蓋本体４は、樹脂の成形品として形成されている。蓋本体４は、ポリプロピレン樹脂等の黒色の樹脂を用い、射出成形等を行って成形することができる。蓋本体４が黒色を呈することにより、蓋本体４へ蚊を誘引しやすくすることができる。また、黒色の樹脂を用いて蓋本体４を成形することにより、蓋本体４に黒色の塗装等を行う手間を省くことができる。
【００２６】
図３に示すように、蓋本体４の取付部４１は、蓋本体４の蓋壁部４２の上端部から外周下側に屈曲する形状に形成されている。容器２の円筒部２２における被取付部２４の外周面は、取付部４１の内周側に嵌め込みやすいように、上方へ行くほど縮径する傾斜状に形成されている。蓋本体４の蓋壁部４２は、上方へ行くほど拡径する傾斜状の円筒形状に形成されている。
【００２７】
蓋壁部４２の内側面４２１に形成された微小な凹凸４２２の高低差は、０．１〜２ｍｍの範囲内にある。この高低差は、０．１ｍｍ以上とすることにより、蓋壁部４２の内側面４２１に蚊の成虫が止まりやすくする足場としての機能を持たせることができる。一方、この高低差を２ｍｍ超過とする場合には、蓋壁部４２を成形しにくくするおそれがある。
【００２８】
本形態の微小な凹凸４２２は、蓋壁部４２の内側面４２１から規則的に突出する多数の凸部によって形成されている。微小な凹凸４２２は、蓋壁部４２の内側面４２１の表面粗さを粗くして、不規則に形成された多数の凹凸によって形成することもできる。多数の凸部は、点状の凸部、上下方向・水平方向等に伸びる線状の凸部等とすることができる。
【００２９】
図３に示すように、蓋壁部４２の下端開口部４２０には、網部５を取り付けるための取付凹部４３が形成されている。取付凹部４３は、円環状のリング部材４４を嵌入可能な形状に形成されている。網部５は、その外周部がリング部材４４によって取付凹部４３内に押し込まれることにより、蓋本体４に取り付けられている。
【００３０】
本形態の網部５の網目孔５１は、角０．７ｍｍ以下の大きさに形成されている。具体的には、網部５は、角０．６７ｍｍの網目孔５１を有し、１インチ当たりの網目孔５１の数が３０個である３０メッシュのネット材によって形成されている。網部５は、格子状に編まれた樹脂のネット材によって形成されており、網目孔５１は、正方形状の角穴として多数形成されている。網目孔５１の大きさが角０．７ｍｍ以下であることにより、小さなボウフラも網目孔５１をほとんど通過することができなくすることができる。
【００３１】
また、蚊の卵が網目孔５１を通過して容器２内の水Ｗの中に降下できるようにするためには、網目孔５１の大きさは角０．４ｍｍ以上とすることが好ましい。蚊の卵は、直径が小さい部分で０．２ｍｍ程度の大きさであって、直径が大きい部分で０．６ｍｍ程度の大きさの細長い形状を有している。
【００３２】
容器２内には、蓋壁部４２の下側部分及び網部５が水Ｗの中に沈むように、水Ｗが溜められる。そして、容器２と捕獲蓋３との間に形成された捕獲空間３０の多くが水Ｗに満たされるとともに、捕獲空間３０の一部として、容器２の円筒部２２と捕獲蓋３の蓋壁部４２との間における、水面Ｗ１よりも上方には、空気の相Ｓが残される。この空気の相Ｓは、容器２内が満水状態であるときには、ほとんどなくなる。
【００３３】
ボウフラストッパー１は、次のようにして、蚊の卵及びボウフラを捕獲することができる。
ボウフラストッパー１を使用する際には、容器２内に水Ｗが溜められ、捕獲蓋３の網部５が水Ｗの中に沈められる。ここで、容器２内へは、ほぼ満水に近い状態で水Ｗを入れることができる。ボウフラストッパー１を屋外の意図する場所に配置したときには、容器２及び捕獲蓋３の黒色の色彩によって、蚊の成虫が容器２内に誘引される。そして、捕獲蓋３の蓋壁部４２の内側面４２１に止まった蚊は、蓋壁部４２の内周面４２１又は容器２内の水面Ｗ１に向けて産卵する。このとき、産卵された蚊の卵は、水Ｗの中に落下し、水Ｗの中にある網部５の網目孔５１を通って容器２の底部２１の上面２１１へと沈んでいく。
【００３４】
次いで、水Ｗの中にある卵から、幼虫としてのボウフラがふ化し、ボウフラは、さなぎとしてのオニボウフラを経て、成虫としての蚊に成長する。このとき、ボウフラは、網部５の網目孔５１の大きさが角０．７ｍｍ以下と小さいことにより、網目孔５１から網部５の上側へほとんど通過することができなくなる。また、ボウフラ及びオニボウフラは、呼吸をするために水面Ｗ１に近づき、容器２の円筒部２２と捕獲蓋３の蓋壁部４２との間に形成された空気の相Ｓを利用して、呼吸をする。
【００３５】
そして、オニボウフラは、空気の相Ｓにおいて蚊の成虫となることがある。この蚊の成虫は、空気の相Ｓが、円筒部２２、蓋壁部４２及び水面Ｗ１によって閉じられており、また、蚊の成虫が網目孔５１から網部５の上側へ通過することができないことにより、空気の相Ｓから捕獲空間３０の外部へ飛び去ることはできない。これにより、空気の相Ｓに閉じ込められた蚊の成虫は餓死する。
【００３６】
また、捕獲蓋３は、取付部４１及び蓋壁部４２を有する蓋本体４と、網部５とを備え、取付部４１及び蓋壁部４２は、樹脂によって一体成形されている。そのため、蓋本体４は、固形の樹脂として成形することができ、捕獲蓋３の製造が容易である。
【００３７】
また、網部５は、固形の樹脂から構成された蓋本体４の蓋壁部４２の下端開口部４２０に設けられており、蓋本体４が容器２に取り付けられた状態において、容器２内の水Ｗの中に沈められて使用される。そして、網部５は、容器２内の水面Ｗ１に浮かばせる必要がない。そのため、蓋本体４の蓋壁部４２には、網部５を水面Ｗ１に浮かばせるための可撓性を与える必要がない。
【００３８】
また、網部５は、蓋本体４の蓋壁部４２の下端開口部４２０にのみ設けられており、容器２内の水面Ｗ１よりも上方には、蚊の成虫が産卵するために止まりやすい蓋壁部４２が配置される。そして、蓋壁部４２の内側面４２１に微小な凹凸４２２が形成されていることにより、蓋壁部４２の内側面４２１に蚊の成虫がより止まりやすくして、蚊の成虫による産卵を促すことができる。
【００３９】
このように、前記ボウフラストッパー１によれば、製造が容易であるとともに、蚊の成虫による産卵を促すことができ、羽化した蚊の成虫が捕獲空間３０の外部へ逃げ出すことを防止することができる。
【００４０】
また、容器２は、円形の断面を有する有底円筒形状とする以外にも、例えば、三角形、四角形、多角形の断面を有する有底筒形状としてもよい。容器２がいかなる断面形状を有している場合においても、捕獲蓋３は、容器２の断面形状に合わせて形成する。
【００４１】
また、容器２の円筒部２２は、傾斜形状に形成する以外にも、図４に示すように、高さ方向の各部における内径が一定である円筒形状に形成してもよい。また、容器２は、樹脂によって形成する以外にも、金属製の缶によって形成することもできる。また、容器２の円筒部２２と捕獲蓋３の蓋壁部４２との間には、円筒部２２及び蓋壁部４２の少なくとも一方の形状を変更して、捕獲空間３０がほとんど形成されないようにすることもできる。
【００４２】
本考案は、前記実施形態のみに限定されるものではなく、その要旨を逸脱しない範囲においてさらに異なる実施形態を構成することが可能である。
【符号の説明】
【００４３】
１  ボウフラストッパー
２  容器
２１  底部
２１１  上面
２３  上端開口部
３  捕獲蓋
３０  捕獲空間
４  蓋本体
４１  取付部
４２  蓋壁部
４２２  微小な凹凸
５  網部
５１  網目孔
【図１】
0003209881.tif 000003
【図２】
0003209881.tif 000004
【図３】
0003209881.tif 000005
【図４】
0003209881.tif 000006